(57)【要約】【課題】硬性のプラスチック椅子に良好な弾性効果を具え、寄りかかったときに快適で、人の動きに合わせて密着して支える椅子の背もたれ構造を提供する。【解決手段】  背もたれ板３０、裏板３６、バネ３５から構成された椅子の背もたれ構造において、そのうち、透かし槽３１が形成され、斜めに突出した弾性板３２が成形され、弾性板３２の背面には定位柱３３が設置される背もたれ板３０と、背もたれ板３０の背面に組み立て、その正面には弾性板の定位柱に対応する定位受が設置される裏板３６と、一端は定位受に挿入し、別の一端は弾性板の定位柱に嵌合し、両端で裏板と弾性板間を支持するバネ３５から構成され、プラスチック成型の背もたれ板３０には弾力性を具えた弾性板３２と、更にバネ３５の弾性によって、弾性板３２は人の背部角度に対応して密着して支えることを特徴とする椅子の背もたれ構造。【選択図】図２  
0003102901.tif 000002
【実用新案登録請求の範囲】
【請求項１】
背もたれ板、裏板、バネから構成された椅子の背もたれ構造において、そのうち、
透かし槽が形成され、斜めに突出した弾性板が成形され、弾性板の背面には定位柱が設置される背もたれ板と、
背もたれ板の背面に組み立て、その正面には弾性板の定位柱に対応する定位受が設置される裏板と、
一端は定位受に挿入し、別の一端は弾性板の定位柱に嵌合し、両端で裏板と弾性板間を支持するバネから構成され、
プラスチック成型の背もたれ板には弾力性を具えた弾性板と、更にバネの弾性によって、弾性板は人の背部角度に対応して密着して支えることを特徴とする椅子の背もたれ構造。
【請求項２】
前記裏板は、定位柱受の口縁内壁に斜面が成形され、弾性板が角度を転換し、バネが角度を変えた時、定位受に挟まることを防止することを特徴とする請求項１記載の椅子の背もたれ構造。
【請求項３】
前記弾性板は、独立したユニットで、上端両側に軸柱が設置され、背もたれ板透かし槽上端両側には対応する軸孔台が設置され、軸柱を軸孔台に組み合わせ、弾性板、背もたれ板を連結して一体にすることを特徴とする請求項１記載の椅子の背もたれ構造。
【請求項４】
前記裏板の定位柱受は、その中に定位凸縁が成形され、バネの定位を助けることを特徴とする請求項１記載の椅子の背もたれ構造。
【考案の詳細な説明】
【技術分野】
【０００１】
本考案は、椅子の背もたれ構造に関するもので、弾力性に優れ、寄りかかったときに快適で、人の動きに密着して支える効果があるものである。
【背景技術】
【０００２】
公知の射出型椅子の構造及び断面は、主に図１に示すとおりで、背もたれ部１２、座部１１から構成され、それに脚を組み立てる。即ち単純な一体成型プラスチック構造であり、下述の問題がある。
背もたれ板１２は弾性を具えない。そのため、背もたれに寄りかかっても快適でない。
また、別に背もたれ板に槽孔を設けた公知構造があり、これは風通しを良くするためであるが、そのため、耐久度に問題がある。また、上下端に連接があり、弾性が良くないために快適度も低い。
【特許文献１】特願２００２−２９９６９７号公報
【考案の開示】
【考案が解決しようとする課題】
【０００３】
解決しようとする問題点は、弾性を具えていないため、快適でない点である。
【課題を解決するための手段】
【０００４】
本考案は、背もたれ板、裏板、バネから構成される。そのうち、背もたれ板は、透かし槽が形成され、斜めに突出した弾性板が成形され、弾性板の背面には定位柱が設置される。裏板は、背もたれ板の背面に組み立て、その正面には弾性板の定位柱に対応する定位受が設置される。バネは、一端が定位受に挿入し、別の一端は弾性板の定位柱に嵌合し、両端で裏板と弾性板間を支持する。これらによって、プラスチック成型の背もたれ板には弾力性を具えた弾性板と、更にバネの弾性によって、弾性板は人の背部角度に対応して密着して支えることを最も主要な特徴とする。
請求項１に記載する本考案の椅子の背もたれ構造は、
主に背もたれ板、裏板、バネから構成された椅子の背もたれ構造において、そのうち、
透かし槽が形成され、斜めに突出した弾性板が成形され、弾性板の背面には定位柱が設置される背もたれ板と、
背もたれ板の背面に組み立て、その正面には弾性板の定位柱に対応する定位受が設置される裏板と、
一端は定位受に挿入し、別の一端は弾性板の定位柱に嵌合し、両端で裏板と弾性板間を支持するバネから構成され、
プラスチック成型の背もたれ板には弾力性を具えた弾性板と、更にバネの弾性によって、弾性板は人の背部角度に対応して密着して支えることを特徴とする。
請求項２に記載するように、前記裏板は、定位柱受の口縁内壁に斜面が成形され、弾性板が角度を転換し、バネが角度を変えた時、定位受に挟まることを防止することを特徴とする。
請求項３に記載するように、前記弾性板は、独立したユニットで、上端両側に軸柱が設置され、背もたれ板透かし槽上端両側には対応する軸孔台が設置され、軸柱を軸孔台に組み合わせ、弾性板、背もたれ板を連結して一体にすることを特徴とする。
請求項４に記載するように、前記裏板の定位柱受は、その中に定位凸縁が成形され、バネの定位を助けることを特徴とする。
【考案の効果】
【０００５】
本考案の椅子の背もたれ構造は、良好な弾性効果を具え、寄りかかったときに快適で、人の動きに合わせて密着して支えるという利点がある。
【考案を実施するための最良の形態】
【０００６】
図２，３，４に示すとおり、本考案は、背もたれ板３０、裏板３６、バネ３５から構成される。そのうち、
背もたれ板３０には透かし槽３１が形成され、そこに斜めに突出した弾性板３２が成形される。弾性板３２の背面には定位柱３３が設置される。
裏板３６は、背もたれ板３０の背面に組み合わせ、その正面には弾性板３２定位柱３３に対応する定位柱受３８が設置される。定位柱受３８の底部には定位凸縁３９が成形され、定位柱受３８の開口縁内壁には斜面３８０が成形される。
バネ３５は、一端が定位柱受３８内に納置して定位凸縁３９に嵌合され、固定する。別端は弾性板３２の定位柱３３に嵌合され、バネ３５両端で裏板３６と弾性板３２間を支える。
背もたれ板３０、裏板３６の組立には、背もたれ板３０周辺縁に複数個のネジ孔台３４が設置され、裏板３６周辺縁には対応する螺合孔３７が設置され、背もたれ板３０及び裏板３６がネジ止めされる。
【０００７】
本考案の背もたれ板３０、裏板３６を組み合わせ、バネ３５の一端を裏板３６の定位受３８内に挿しいれ、裏板３６、背もたれ板３０に合わせるだけである。バネの別端は背もたれ板３０の定位柱３３に嵌め込み、ネジで合わせればよい。
【０００８】
上述のとおり背もたれ板３０、裏板を組み合わせたのが、図５、図６に示す実施使用状態図で、図５は、椅子脚を設置した座４０を組み合わせたもので、図６は、組み立てた背もたれ板３０及び裏板３６を一般の椅子に設置したもので、椅子の背もたれ部に設置して使用者背部を支持し、任意に移動するため、使用範囲が広い。
【０００９】
別に本考案は、背もたれ板３０及び弾性板３２を分離し、組み立てて一体にする。図７に示すとおり、背もたれ板３０の透かし槽３１上端両側に軸孔台３０１を設置し、弾性板３２は分離したパーツで、上端両側には軸柱３２０が設置される。更にこの二つの軸柱３２０を背もたれ板３０の二つの軸孔台３０１に挿し込み、背もたれ板３０、裏板３６を連結して一体にする。別に背面に裏板３６を設置し、裏板と弾性板３２間にバネを設置するため、本考案の効果は同じである。
【００１０】
寄りかかったときの感触が良好で、図３、４に示すとおり、人が背もたれ板３０に寄りかかったとき、先ず突出した弾性板３２に当たり、弾性板３２は弾力性を具えているため、背もたれ板３０に当たったとき、弾性緩衝効果によって気持ちが良い。使用者の体４１が背もたれ板３０の弾性板３２に当たった時、背が前方に傾いたり、背もたれ板３０から離れたりすることがない。弾性板３２の弾力によって自動的に前に作用し、背との接触を保ち、良好な感触を得る。
【００１１】
バネ３５の効果として、図３,４に示すとおり、バネ３５の先端で裏板３６、弾性板３２を支持し、バネ３５の弾性により、緩衝性を具え、耐久力も高まる。これにより弾性板３２を薄く製造し、軟性のプラスチック材を採用し、弾性効果を更に高める。
【００１２】
バネ３５の弾力によって、弾性板３２で体４１を支え、前後弾性作用（図３参照）を具える他に、背４１の角度を変化させた時、弾性板３２が軟質材であるため、弾力性によって、図４に示すとおり、体４１の角度に合わせて密着し続ける。角度が変わったとき、定位受３８上端内壁に成形された斜面３８０によって、バネ３５が湾曲し、バネ３５の湾曲角度が大きすぎるために引っかかって伸縮しなくなるということがない。
【００１３】
本考案の背もたれ板３０には、透かし槽３１が形成され、弾性板は斜めに突出しているため、空間が形成され、この透かし槽３１が隙間となり、通気効果がある。
【産業上の利用可能性】
【００１４】
本考案の弾性板３２はバネ３５の弾性を受けるため、バネ３５は強力バネを採用しており、そのため人の背部が寄りかかると、強力に支える。この時、猫背（背部湾曲）の者が寄りかかると、弾性板３２の強力な支持により、背部をまっすぐに伸ばす効果があり、背部姿勢矯正にも適用する。
【図面の簡単な説明】
【００１５】
【図１】公知の立体図及びＡ―Ａ断面図である。
【図２】本考案の立体分解図及び（ａ）は正面図である。
【図３】本考案の側面図及び前後動作指示図である。
【図４】本考案俯瞰断面図及び左右角度動作指示図である。
【図５】本考案の座、脚を組み立てた状態使用図である。
【図６】本考案を一般椅子の補助背もたれとして使用した状態図である。
【図７】本考案の弾性板と背もたれを分離した実施例立体分解図である。
【符号の説明】
【００１６】
１１        座
１２        背もたれ板
３０        背もたれ板
３０１        軸孔台
３１        透かし槽
３２        弾性板
３２０        軸柱
３３        定位柱
３４        ネジ孔台
３５        バネ
３６        裏板
３７        螺合孔
３８        定位受
３８０        斜面
３９        定位凸縁
４０        座
４１        体
【図１】
0003102901.tif 000003
【図２】
0003102901.tif 000004
【図３】
0003102901.tif 000005
【図４】
0003102901.tif 000006
【図５】
0003102901.tif 000007
【図６】
0003102901.tif 000008
【図７】
0003102901.tif 000009